(57)【特許請求の範囲】
【請求項１】
被検査物に光を照射する光源と、
前記被検査物を透過あるいは前記被検査物から反射した光を受光するカラー撮像装置と、
前記カラー撮像装置で撮像された画像データを記録する記録手段と、
を備えた光透過性成形品の外観検査装置において、
前記画像データは赤（Ｒ）、青（Ｂ）、緑（Ｇ）の色成分の光量値で構成された色空間データ群１で構成されており、
前記色空間データ群１を色相（Ｈ）と彩度（Ｓ）を含む色成分で構成された色空間データ群２に変換する第一の変換手段と、
前記画像データを構成する抽出色の領域を指定し、
前記色空間データ群２の該抽出色の領域の値がＲＧＢいずれかの指定した色が最大あるいは最小になるように色相（Ｈ）を回転させて色空間データ群３に変換する第二の変換手段と、
前記色空間データ群３を赤（Ｒ）、青（Ｂ）、緑（Ｇ）の色成分の光量値で構成された色空間データ群４に変換する第三の変換手段とを備え、
前記色空間データ群４を構成する色成分の一つを選択し、選択した色成分の光量値を残りの色成分の光量値を用いて補正することを特徴とする光透過性成形品の外観検査装置。
【請求項２】
前記補正は、前記選択した色成分の光量値を選択されていない残りの色成分の内、光量値が小さい成分の値を減算することを特徴とする請求項１に記載の光透過性成形品の外観検査装置。
【請求項３】
前記補正は、前記選択した色成分の光量値を選択されていない残りの色成分の内、光量値が大きい成分の値を減算することを特徴とする請求項１に記載の光透過性成形品の外観検査装置。
【請求項４】
前記補正は、前記選択した色成分の光量値を選択されていない残りの色成分の光量値の平均値を求め減算することを特徴とする請求項１に記載の光透過性成形品の外観検査装置。
【発明の詳細な説明】
【技術分野】
【０００１】
本発明は、光透明性を有するガラス・樹脂などを成型した際に発生する軽微な色ムラなどの部分的な変色を、画像処理を用いて検出する光透過性成形品の外観検査装置に関する。
【背景技術】
【０００２】
透明なガラスや樹脂を材料として成形した部品（以下、光透過性成形品）には、製作する際に微量の異物の付着や熱による変質などにより変色や色ムラが発生することがある。このような変色や色ムラは外観的な美観を損なうばかりでなく、部品の機械的な強度低下や経時劣化の原因になることもある。このため、光透過性成形品の製作工程では、目視検査を主体とした外観検査が行われることが一般的である。しかし、このような目視検査は官能検査であるため、検査員の体調や習熟度の違いなど要因となって、検査結果に個人差があることなどが知られており、検査結果が安定しないため、一定水準の品質を確保することが困難であった。更に、目視検査は、機械が行う自動検査に比べて一般的に検査時間が長くなるという問題がある。
【０００３】
このような問題に対して、ＣＣＤカメラなどの撮像装置を用いて画像を撮影し、画像処理を用いて外観検査を行うことにより検査の安定性を向上させたり、検査時間を短縮させたりする試みが行われている。
【０００４】
例えば、特許文献１で開示されている、色ムラ外観検査装置で用いられている手法を図８で説明すると、ＣＣＤカラーカメラで被検物を撮影する工程（Ｓ６１）と、撮影した一次画像からＲ（赤）、Ｇ（緑）、Ｂ（青）の三原色の色成分の光量値に応じた三原色データを画素毎に生成する工程（Ｓ６２）と、画像処理装置を用いて、該三原色データを画素毎に演算処理して色ムラ分布データを算出する工程（Ｓ６３、Ｓ６４）と、該色ムラ分布データに基づき、図９に示す擬似カラー化処理用変換テーブルを用いて該一次画像の色ムラ分布を表わす擬似カラー化二次画像を二次画像用モニタ再生する工程（Ｓ６５）を備えており、被検物の色ムラ外観検査（Ｓ６６）を行う。
【０００５】
また、特許文献２で開示されているように、被検物の僅かな色差を明確にする方法として図１０に示す方法が知られている。カラー画像を入力する工程（Ｓ８１）と、必要に応じてネガポジ反転変換を行う工程（Ｓ８２）と、該カラー画像を構成する各画素のＲＧＢデータを、色相（Ｈ）、彩度（Ｓ）、輝度（Ｉ）で表されるＨＳＩ変換する工程（Ｓ８３）と、該カラー画像の各画素から、少なくとも彩度を含む色情報を求める情報取得手段と、カラー画像の各画素の彩度を所定量シフトする工程（Ｓ８４）と、色相の最頻値を求める工程（Ｓ８５）と得られた色相の最頻値より各画素の色相を回転させる工程（Ｓ８６）と注目画素を抽出する工程（Ｓ８７）と、彩度／輝度を変換処理する工程（Ｓ８８）と得られた画像データを階調変換する工程（Ｓ８９）よりなり、僅かな色差を明確にした画像を出力（Ｓ９０）される。
【先行技術文献】
【特許文献】
【０００６】
【特許文献１】特開平５−３３２８３８号公報
【特許文献２】特開２００９−１５２８６８号公報
【発明の概要】
【発明が解決しようとする課題】
【０００７】
光透過性成形体に発生した汚れ、色ムラなどで著しく汚れ、変色したものは、目視検査でも容易の判別でき、従来の外観検査装置でも検査することができる。しかし、光透過性成形体の外観検査では成形体を構成する材料が光を透過するため、次の様な固有の問題があった。一つ目は、周囲の光や被検物を照射した光が、汚れや色ムラなどと重なって観察されるため、汚れや色ムラなどに固有の色彩が目立たなくなり、色の特徴で区別することが難しくなるという問題である。すなわち、図１２に示すように、汚れや色ムラが固有の色（図１２（ａ））を示していたとしても、周辺の光の色（図１２（ｂ））が重なることで、観察される状態は、周辺の色の中に、僅かな固有の色の変化がある状態になり視覚的に色の区別をすることが困難になる。（図１２（ｃ））
二つ目は、周囲の光や被検物を照射した光が、光透過性成形体の内部で反射、散乱する際に、光透過性成形体の形状の影響で反射、散乱する光の強度が方向により不均一となるため、光透過性成形体を観察すると周囲に対して黒い部分があるように見えるため、汚れや色ムラなどと錯覚することがあるという問題である。汚れ、色ムラなどの色彩が目立たないため、光の反射、散乱によって発生した影を汚れ、色ムラなどと誤認してしまうことが問題となっていた。
【０００８】
特許文献１の方法では、図８のＳ６３、Ｓ６４に示されている様にＲＧＢの任意の２成分の差分（図８のＳ６３においては、赤（Ｒ）と青（Ｂ））をとり、その大きさを基に色ムラ分布Ｆを求めている。光透過性成形体を観察した場合、色彩が目立たなくなる傾向が強いことから、ＲＧＢの各色成分はそれぞれ近接しており、任意の２成分の差分を取って求めた色ムラ分布Ｆは小さいものとなる。従って、特許文献１の方法で光透過性成形体を観察したとしても問題である汚れや色ムラなどを色の特徴で区別することが解決されない。
【０００９】
特許文献２の方法を、図１１を用いて説明する。図１１は、色情報を色相（Ｈ）、色彩（Ｓ）、輝度（Ｉ）で表したとき、周方向を色相軸（Ｈ）、径方向を彩度軸（Ｓ）とし、紙面に垂直な方向を輝度軸（Ｉ）としたＨＳＩ色空間を示している。図１１（１）に示されている様に画像データの各画素の色情報を上記ＨＳＩ色空間上にプロットし、画素の分布の中心値（図１１（１）に「△」として表示）を求め、図１１（２）に示す様に画素の分布の中心値がＨＳＩ色空間の中心となる様に彩度をシフトさせる。この様に各画素の色情報をシフトさせることで図１１（１）の様に色相（Ｈ）が近接して彩度が分布している（同じ色で濃淡に差がある）画像であっても色相（Ｈ）の違いとして認識できる様になり近接した色差の画像を区別することが容易になる。光透過性成形体を観察した場合、色彩が目立たなくなることが特徴であるため、各画素の色情報の分布はＨＳＩ色空間上にプロットすると中心部分に分布することになる。図１１（１）に示した様に画素の分布の中心値を求めたとしても、基になる画素の色情報の分布が中心に分布しているため、図１１（２）に示した色彩のシフトを行ったとしても、シフトできる量は僅かである。特許文献２の方法は、問題としている彩度の小さい色差の画像を区別することが解決できる訳ではない。
そこで、本発明の課題は光透過性成形体のような彩度の小さい画像であっても色の違いを区別することが可能な外観検査装置を提供することである。
【課題を解決するための手段】
【００１０】
上記課題を解決するために、請求項１に記載された発明は、前記被検査物を透過あるいは前記被検査物から反射した光を受光するカラー撮像装置と、前記カラー撮像装置で撮像された画像データを記録する記録手段と、を備えた光透過性成形品の外観検査装置において、
前記画像データは赤（Ｒ）、青（Ｂ）、緑（Ｇ）の色成分の光量値で構成された色空間データ群１で構成されており、前記色空間データ群１を色相（Ｈ）と彩度（Ｓ）を含む色成分で構成された色空間データ群２に変換する第一の変換手段と、前記画像データを構成する抽出色の領域を指定し、前記色空間データ群２の色相（Ｈ）を該抽出色の領域の値がＲＧＢいずれかの指定した色が最大あるいは最小になるように回転させて色空間データ群３に変換する第二の変換手段と、前記色空間データ群３を赤（Ｒ）、青（Ｂ）、緑（Ｇ）の色成分の光量値で構成された色空間データ群４に変換する第三の変換手段とを備え、
前記色空間データ群４を構成する色成分の一つを選択し、選択した色成分の光量値を残りの色成分の光量値を用いて補正することを特徴とする光透過性成形品の外観検査装置である。（本明細書において使用される「色空間データ群」とは、画像データを構成しているＨＳＩ色空間、ＲＧＢ色空間などの色成分で表現された画素データの集合体のことを言う。）
【００１１】
次に、請求項２に記載された発明は、前記補正が、前記選択した色成分の光量値を選択されていない残りの色成分の内、光量値が小さい成分の値を減算することを特徴とする請求項１に記載の光透過性成形品の外観検査装置である。
【００１２】
また、請求項３に記載された発明は、前記補正が、前記選択した色成分の光量値を選択されていない残りの色成分の内、光量値が大きい成分の値を減算することを特徴とする請求項１に記載の光透過性成形品の外観検査装置である。
【００１３】
更に、請求項４に記載された発明は、前記補正が、前記選択した色成分の光量値を選択されていない残りの色成分の光量値の平均値を求め減算することを特徴とする請求項１に記載の光透過性成形品の外観検査装置である。
【発明の効果】
【００１４】
以下に説明する通り、本発明によれば、光透明性を有するガラス・樹脂などを成型した光透過性成形品に発生した軽微な色ムラなどの部分的な変色を検出することが可能になり、外観検査のおける検査感度が安定し、品質の向上に資することができる。また、コンピュータを用いた自動検査を行うことが可能になるため、外観検査にかかる時間を短縮できることから、生産コストの低減など生産の効率化を行うことが可能となる光透過性成形品の外観検査装置を提供することができる。
【図面の簡単な説明】
【００１５】
【図１】外観検査装置の全体構成を表す構成図
【図２】外観検査装置の画像処理の手順を示すフローチャート
【図３】彩度が小さい色に対して本発明を適用したときの感度分布
【図４】本発明の第一の実施例の色成分の変化を説明した図
【図５】本発明の第二の実施例の色成分の変化を説明した図
【図６】遮光壁を取り付けた外観検査装置の計測部の概略図
【図７】反射照明を取付けた外観検査装置の計測部の概略図
【図８】従来の色ムラ外観検査装置の動作を説明する為のフローチャート
【図９】画像処理装置に設けられた擬似カラー化処理用変換テーブルを示す模式図
【図１０】従来の画像処理装置におけるカラー画像の処理手順を示すフローチャート
【図１１】従来の画像処理装置におけるカラー画像の処理手順をＨＳＩ色空間にプロットして説明する図
【図１２】周辺の光により、色シミ等の色彩が不明瞭になることを説明した図
【発明を実施するための形態】
【実施例】
【００１６】
本願発明を実施するための形態（以下、実施形態）について説明する。
図１は、本願発明の外観検査装置の全体構成を表す構成図である。光透過性を有したガラス・樹脂を原材料として成形された被検査物Ｓの外観を検査するため、検査台を兼ねた拡散板３上に設置する。光源２は、拡散板３の下方に配置され、拡散板３に向けて光を放射する構成になっており、光源より放射された光Ｌは拡散板３を透過することで拡散光Ｌ’となり、ランダムな方向から被検査物Ｓを照明する。被検査物Ｓの上方にはカラー撮像装置１が設置されており、光源２から放射された光で照明された被検査物Ｓを撮影する。
【００１７】
カラー撮像装置１で撮影された画像データは、本発明の画像処理を行うため画像処理装置４に転送される。画像処理装置４は、画像処理の演算を行うコンピュータ装置４０とデータの出力を行うプリンタ４１、データの表示を行うモニタ４２と画像処理装置４の操作などを行うためのキーボード・マウス等として入力機器４３より構成されている。更に、コンピュータ装置４０は、カラー撮像装置１で撮影された画像データを画像処理装置４に入力する接続部であるインターフェース部４０ｄと画像処理の演算を行うＣＰＵ４０ａ、本発明の画像処理プログラムがインストールされたメインメモリ４０ｂやデータ等の保管を行う補助記憶装置４０ｃで構成されている。
【００１８】
次に、本発明の画像データの処理の流れを説明する。
図２は、本発明の外観検査装置の画像処理の手順を示すフローチャートである。
画像入力Ｓ１は、カラー撮像装置１で撮影された画像データを、画像処理装置４に入力する工程である。多くの場合、画像データは画素ごとに赤（Ｒ）、緑（Ｇ）、青（Ｂ）の３色の色成分の光量値に分解された画像  立て表現される。ＲＧＢの三原色による色の表現と異なる色表現方法として、色相（Ｈ）と彩度（Ｓ）を用いた表現方法がいくつか知られており、ＨＳＩ（Ｈｕｅ、Ｓａｔｕｒａｔｉｏｎ、Ｉｎｔｅｎｓｉｔｙ）色空間やＨＳＶ（Ｈｕｅ、Ｓａｔｕｒａｔｉｏｎ、Ｖａｌｕｅ）色空間、ＨＬＳ（Ｈｕｅ、Ｌｉｇｈｔｎｅｓｓ、Ｓａｔｕｒａｔｉｏｎ）色空間などと呼ばれているものがある。
ＨＳＩ変換Ｓ２は、ＲＧＢ色成分で表現された画像データを色相（Ｈ）と彩度（Ｓ）で表現された色空間に変換を行う工程である。なお、ＨＳＩ変換Ｓ２は、画像データを構成する色成分の表現方法を変換するだけの等価な変換であり、人間が外観検査装置のモニタ４２を通して観察する画像の色が変化する訳ではない。
【００１９】
抽出色指定Ｓ３は、注目している色シミなどが確認されている領域を指定し色情報を取得する工程である。予め色シミなどの色見本が存在している場合は色見本から色を指定することもある。
選択色指定Ｓ４は、前記抽出色指定Ｓ３で指定した色を、例えばＲ、Ｇ、Ｂいずれかの指定した色に変換するか指定する工程である。
色相回転Ｓ５は、抽出した領域の色が、Ｒ（赤）Ｇ（緑）Ｂ（青）いずれかが強調して見えるように画像データ全体の色相を変化させる工程である。色相の変化量は、前記抽出色指定Ｓ３で指定した色と前記選択色指定Ｓ４で指定した色のそれぞれの色相（Ｈ）の差分になる。
ＲＧＢ変換Ｓ６は、前記色相回転Ｓ５を行った後の画像データを、ＲＢＧ色空間で表現された画像データに変換する工程である。
【００２０】
工程Ｓ７から工程Ｓ１２は、前記ＲＧＢ変換Ｓ６で得られた画像データから、単色の濃淡画像を生成する工程（階調処理）である。
工程Ｓ７は、ＲＧＢ色空間で表現された画像データについて、選択色のデータと選択されなかった残りの２つのデータ（非選択色１、非選択色２）に区別してコンピュータ装置４０のメモリに保管する工程である。なお、説明では、選択色はＧ（緑）とし、残りの非選択色の大小関係はＲ（赤）＞Ｂ（青）となっている場合について記載している。
本発明による画像処理では、階調処理の方法として３種類の補正方法を実施できる。
【００２１】
第一の方法は、工程Ｓ８と工程Ｓ９に記載された方法であり、選択色の色成分の光量値と、非選択色の内大きな値をとる色の色成分の光量値の差分をとる方法である。
第二の方法は、工程Ｓ１０と工程Ｓ１１に記載された方法であり、選択色の色成分の光量値と、非選択色の内小さな値をとる色の色成分の光量値の差分をとる方法である。
第三の方法は、工程Ｓ１２と工程Ｓ１３に記載された方法であり、選択色の色成分の光量値と、非選択色の色成分の光量値の平均値を求め、差分をとる方法である。
画像データについて、上記の階調処理を行うことで選択色と非選択色の色成分の光量値の関係から単色の濃淡画像が生成され画面表示Ｓ１３される。
なお、工程Ｓ９、工程Ｓ１１、工程Ｓ１２において、得られた結果が０より小さくなる場合は、得られた値は０になるとしている。
【００２２】
本発明の検査装置を用いた場合、その画像処理によって、選択色に対してそれ以外の色がどのような階調で表現されるか示したのが図３である。図３では、選択色はＧ（緑）［色相１２０度に相当］とし、上記画像処理によって得られる階調の強さを感度として表している。なお、感度は比較する２箇所の色成分の光量値の差分のため、無単位の量である。
本発明は光透過性成形体の外観検査を目的としているため、光透過性成形体を観察したときの特徴である彩度が低い状態として、非選択色の色成分の光量値に対して、選択色の色成分の光量値が１０％高い値を示す場合を例にして求めた値である。
選択色に対して、非選択色の最大値で補正した場合（工程Ｓ９）は、選択色に近い色のみが濃淡画像として現れる。これは、比較対照する箇所の色合いが似ている場合に、目的とする色のみを切り出す場合に有効である。（図３ＩＩＩ））
これに対して、選択色に対して、非選択色の最小値で補正した場合（工程Ｓ１１）は、選択色周辺の広い色相範囲の色が濃淡画像として現れる。これは、彩度が低い画像は、灰色のバックグラウンドの中に僅かに色合いが認識できるだけで、人間の目では色合いを誤認しやすい場合に類似する色を把握する場合に有効である。（図３（Ｉ））
三番目の選択色に対して、非選択色の平均値を求めて補正する場合は、上記二つの方法の中間的な性質を有しており、選択色からの色相の差異も濃淡値として表現される。（図３（ＩＩ））
上記３種類の方法は、対象となる被検査物の状態に応じて選択することができる。
【００２３】
図４は、本発明の第一の実施例を適用した際に、色相と階調の変化を示した図である。図４（ａ）の左の図は、色成分を色相と彩度で表した図であり、色相を円周方向、色彩を径方向に表している。一般的には色相環と呼ばれている図である。
図４の例では、彩度値が同じ値で、色相値が近接している３種類の色（ａ、ｂ，ｃ）に本発明を適用することにより区別する過程を示している。図４（ａ）の左から２番目、３番目、４番目の図は、前記３種類の色（ａ、ｂ，ｃ）について、Ｒ（赤）、Ｇ（緑）、Ｂ（青）の３色の色成分で表した場合の図を示している。図４（１）について、例えば、Ｒ、Ｇ、Ｂの色成分がそれぞれ９０、１００，１１０のいずれかの値を採るものとすると、三色の成分が相対的に近接しているため、彩度が小さくなり視覚的には単色の濃淡の色調に僅かに色がついた色に認識される。このような色を色相環で表現すると、中心部分に分布したものとなる。なお、図４（１）及び図４（２）に示した色相環は各色の色相の違いが判るように、説明のため、色彩の値を便宜的に大きく強調して表示している。
【００２４】
図４の色調と階調の変化を図２のフローチャートを用いて説明する。取得した画像から、色調の近接した三箇所を選択し、各点（ａ、ｂ、ｃ）の色情報を取得する。（図４（１）（ａ）〜（ｃ））（工程Ｓ１）
各点の色情報を色相と色彩に変換し色相環に表示する。（図４（１）左図）（工程Ｓ２）
点ｂの色に着目し（工程Ｓ３）、点ｂの色を色相変換する色としてＧ（緑）を選択する。（工程Ｓ４）
点ｂの色相値とＧ（緑）の色相の差（θ）を求め、点ｂの色相が緑となるように、画像全体の色相をθだけシフトさせる。（図４（２））（工程Ｓ５）
色相変換後の各点の色情報を、Ｒ・Ｇ・Ｂで表す。（工程Ｓ６）（図４（２）（ａ’）〜（ｃ’））
【００２５】
ここで、選択色に対して、非選択色の最大値で補正する場合は、選択色であるＧ（緑）の成分に対して、非選択色であるＲ（赤）とＢ（青）の色成分の光量値を比較し、大きな値の色成分の光量値を選択色Ｇ（緑）の色成分の光量値から引く（図４（３））（工程Ｓ９）。
選択色に対して、非選択色の平均値で補正する場合は、選択色であるＧ（緑）の成分に対して、非選択色であるＲ（赤）とＢ（青）の色成分の光量値の平均値を求め、選択色Ｇ（緑）の色成分の光量値から引く（図４（４））（工程Ｓ１２）。
画像全体につき、上記工程Ｓ９あるいは工程Ｓ１２を繰り返し、得られた画像を表示する。（工程Ｓ１３）
このように、本発明による手順により画像処理を行うことにより、着目した色に対して、一致する色が最大となり、色相が近接している場合であっても階調の濃淡の差として区別することができる。
なお、図３で説明したとおり、補正の手法を選択することにより隣接する色相の違いから得られる濃淡の階調は調整することができる。図４に示したように色相が近接している場合は、非選択色の色成分は、最大値あるいは平均値を用いて補正することが適している。
【００２６】
互いに色相が近接している場合に区別する方法を説明したが、彩度が低い色については、色相の値が近接していなくても、単色の濃淡画像のように認識されるため、色の特徴を見つけることが難しい、むしろ、周辺の色との関係で視覚的な錯覚を生じ、本来とは別の色と認識してしまうこともある。
このような場合においても、発明の画像処理を行うことが有効である。
図５を用いて説明すると、取得した画像から、三箇所を選択し、各点（ａ、ｂ、ｃ）の色情報を取得する。（図５（１）（ａ）〜（ｃ））（工程Ｓ１）
各点の色情報を色相と色彩に変換し色相環に表示する。（図５（１）左図）（工程Ｓ２）
点ｂの色に着目し（工程Ｓ３）、点ｂの色を色相変換する色としてＧ（緑）を選択する。（工程Ｓ４）
点ｂの色相値とＧ（緑）の色相の差（θ）を求め、点ｂの色相が緑となるように、画像全体の色相をθだけシフトさせる。（図５（２））（工程Ｓ５）
色相変換後の各点の色情報を、Ｒ・Ｇ・Ｂで表す。（工程Ｓ６）（図５（２）（ａ’）〜（ｃ’））
ここで、選択色であるＧ（緑）の成分に対して、非選択色であるＲ（赤）とＢ（青）の色成分の光量値を比較し、小さな値の色成分の光量値を選択色Ｇ（緑）の色成分の光量値から引く（図５（３））（工程Ｓ１１）。
画像全体につき、上記工程Ｓ１１を繰り返し、得られた画像を表示する。（工程Ｓ１３）
このように、本発明による手順により画像処理を行うことにより、着目した色に対して、補色にあたる色を除くことができるため、彩度が低く色の特徴を判断しづらい状態であっても、視覚的な錯覚を防止することが可能になる。
【００２７】
図１の全体構成図を使って、本発明の検査方法及び検査装置について説明を行ってきたが、前述のとおり、本検査方法及び装置は、色調の微妙な差異を効率よく判定することを目的としていることから、検査機周辺の人や物の動きや、室内の照明などさまざまな光が迷光としてカラー撮像装置１に検出され、誤検出の要因となる可能性がある。
このように周辺環境による影響を防止するためには、被検査物Ｓやカラー撮像装置１などを覆うように図６に示すような遮光壁５を用いることが有効である。
遮光壁５を設けることにより、光源２から照射された光だけがカラー撮像装置１に捕捉されるため、迷光による誤検出を防止することができる。
また、誤検出の防止だけでなく、迷光が無くなることで検出感度が向上することが期待される。このため、より微細な色調の変化も精度よく判定することが可能になる。
【００２８】
被検査物Ｓを照射する光源２は、図１と図６では被検査物Ｓの下方に設置され、カラー撮像装置１に対して透過照明となるように配置されている。本発明においては光源２の位置は透過照明に限定されている訳ではない。図７に示すようにカラー撮像装置１の側方に設置して反射照明としてもよい。
さらに、拡散板３が導光板の機能を持っていれば、拡散板３の側壁に光源２を設置して拡散板の側面から光を導入することで、被検査物Ｓの下方から拡散光Ｌ’を照射することが可能になり、図１の透過照明の場合と同じように照射することができる。
【符号の説明】
【００２９】
Ｓ：被検査物
Ｌ：光源より放射された光
Ｌ’：拡散光
１：カラー撮像装置
２：光源
３：拡散板
４：画像処理装置
４０：コンピュータ装置
４０ａ：ＣＰＵ
４０ｂ：メインメモリ
４０ｃ：補助記憶装置
４０ｄ：インターフェース部
４１：プリンタ
４２：モニタ
４３：入力機器
５：遮光壁
【図１】
0005652421.tif 000002
【図２】
0005652421.tif 000003
【図３】
0005652421.tif 000004
【図４】
0005652421.tif 000005
【図５】
0005652421.tif 000006
【図６】
0005652421.tif 000007
【図７】
0005652421.tif 000008
【図８】
0005652421.tif 000009
【図９】
0005652421.tif 000010
【図１０】
0005652421.tif 000011
【図１１】
0005652421.tif 000012
【図１２】
0005652421.tif 000013